(57)【要約】【課題】  利便性を向上させるとともに長時間使用すること。【解決手段】  携帯電話機は、複数の機能を実行可能であり、二次電池４１と、電池の残量を検出する残量検出部５１と、残量検出部５１により検出された電池の残量が所定のしきい値以下の場合に、複数の機能のうち実行中の機能または実行中の機能がないときは最後に実行された機能に関連して予め定められた機能以外の機能の少なくとも一部を実行不可とする省電力モードに設定する設定部５３と、を備える。【選択図】        図３
2010154363.tif 000002
【特許請求の範囲】
【請求項１】
複数の機能を実行可能な電子機器であって、
電池と、
前記電池の残量を検出する残量検出手段と、
前記残量検出手段により検出された前記電池の残量が所定のしきい値以下の場合に、前記複数の機能のうち実行中の機能または実行中の機能がないときは最後に実行された機能に関連して予め定められた機能以外の機能の少なくとも一部を実行不可とする省電力モードに設定する設定手段と、を備えた電子機器。
【請求項２】
前記複数の機能のうちで最後に実行された機能を識別するための機能識別情報を記憶する履歴記憶手段と、
前記複数の機能を識別するための機能識別情報それぞれに対して省電力モードにおいて実行可能な機能を関連付けた関連付情報を記憶する関連付情報記憶手段を、さらに備えた請求項１に記載の電子機器。
【請求項３】
前記電池と並列接続され、光が照射されることにより発電する光発電手段と、
前記光発電手段の出力電圧を検出する出力電圧検出手段と、をさらに備え、
前記設定手段は、前記光発電手段の出力電圧が所定の値以下であることをさらに条件として、前記省電力モードに設定する、請求項１または２に記載の電子機器。
【請求項４】
前記残量検出手段は、前記電池の出力電圧を計測する計測手段を含む、請求項３に記載の電子機器。
【請求項５】
前記設定手段により前記省電力モードに設定されると、少なくとも一部の負荷の駆動を停止させる停止手段を、さらに備えた、請求項１〜４のいずれかに記載の電子機器。
【請求項６】
電池から電力の供給を受けて駆動し、複数の機能を実行可能な電子機器で実行される省電力モード切換方法であって、
前記電池の残量を検出するステップと、
前記測定された残量が所定のしきい値以下の場合に、前記複数の機能のうち実行中の機能または実行中の機能がないときは最後に実行された機能に関連して予め定められた機能以外の機能の少なくとも一部を実行不可とする省電力モードに設定するステップと、を含む省電力モード切換方法。
【請求項７】
電池から電力の供給を受けて駆動し、複数の機能を実行可能な電子機器を制御するコンピュータで実行されるモード切換プログラムであって、
前記電池の残量を検出するステップと、
前記測定された残量が所定のしきい値以下の場合に、前記複数の機能のうち実行中の機能または実行中の機能がないときは最後に実行された機能に関連して予め定められた機能以外の機能の少なくとも一部を実行不可とする省電力モードに設定するステップと、を前記電子機器を制御するコンピュータに実行させる、省電力モード切換プログラム。
【発明の詳細な説明】
【技術分野】
【０００１】
この発明は電子機器、省電力モード切換方法および省電力モード切換プログラムに関し、特に二次電池で駆動する電子機器、その電子機器で実行される、省電力モード切換方法および省電力モード切換プログラムに関する。
【背景技術】
【０００２】
近年、携帯電話機等で代表される電子機器は、駆動源にリチウムポリマ電池等の二次電池が用いられる。このため、二次電池の蓄電容量が低下すると、駆動できない。特開平０９−８６７６号公報には、二次電池の蓄電容量が所定値以下であると送信機の送信電力を通常レベルより下げることによりバッテリを長時間使用することができるようにした無線通信給電システムが記載されている。
【０００３】
一方、携帯電話機は、通話機能の他に、電子メール送受信および作成機能、テレビジョン放送を受信し表示するテレビジョン機能、ウェブページを受信し、表示するブラウジング機能、地図情報と現在位置とを表示するナビゲーション機能等の多くの機能を備えている。このため、通話機能とは別の機能を実行している最中に着信があると、通話機能を実行するために電力が消費されてしまい、それまで実行していた機能を継続して実行することができなくなってしまうといった問題がある。
【特許文献１】特開平０９−８６７６号公報
【発明の開示】
【発明が解決しようとする課題】
【０００４】
この発明は上述した問題点を解決するためになされたもので、この発明の目的の一つは、利便性を向上させるとともに長時間使用することが可能な電子機器を提供することである。
【０００５】
この発明の他の目的は、利便性を向上させるとともに長時間使用することが可能な省電力モード切換方法を提供することである。
【０００６】
この発明のさらに他の目的は、利便性を向上させるとともに長時間使用することが可能な省電力モード切換プログラムを提供することである。
【課題を解決するための手段】
【０００７】
上述した目的を達成するためにこの発明のある局面によれば、電子機器は、複数の機能を実行可能な電子機器であって、電池と、電池の残量を検出する残量検出手段と、残量検出手段により検出された電池の残量が所定のしきい値以下の場合に、複数の機能のうち実行中の機能または実行中の機能がないときは最後に実行された機能に関連して予め定められた機能以外の機能の少なくとも一部を実行不可とする省電力モードに設定する設定手段と、を備える。
【０００８】
この局面に従えば、電池の残量が所定のしきい値以下の場合に、複数の機能のうち実行中の機能または実行中の機能がないときは最後に実行された機能に関連して予め定められた機能以外の機能の少なくとも一部が実行不可となる。このため、実行可能な機能を制限することにより、電池の消耗を抑えることができる。また、省電力モードにおいて現在または直前に実行した機能に関連する機能が実行可能となるので、実行可能な機能をユーザにより必要とされる可能性の高い機能に制限することができる。その結果、利便性を向上させるとともに長時間使用することが可能な電子機器を提供することができる。
【０００９】
好ましくは、複数の機能のうちで最後に実行された機能を識別するための機能識別情報を記憶する履歴記憶手段と、複数の機能を識別するための機能識別情報それぞれに対して省電力モードにおいて実行可能な機能を関連付けた関連付情報を記憶する関連付情報記憶手段を、さらに備える。
【００１０】
この局面に従えば、関連付情報を記憶するので、省電力モードにおいて実行可能な機能をユーザにより必要とされる可能性の高い機能にすることがでいる。
【００１１】
好ましくは、電池と並列接続され、光が照射されることにより発電する光発電手段と、光発電手段の出力電圧を検出する出力電圧検出手段と、をさらに備え、設定手段は、光発電手段の出力電圧が所定の値以下であることをさらに条件として、省電力モードに設定する。
【００１２】
この局面に従えば、光発電手段の出力電圧が所定の値以下の場合に、省電力モードに設定されるので、光発電手段の出力電圧が大きい場合に省電力モードに設定されない。このため、実行可能な機能が制限される頻度を少なくすることができる。
【００１３】
好ましくは、残量検出手段は、電池の出力電圧を計測する計測手段を含む。
【００１４】
好ましくは、設定手段により省電力モードに設定されると、少なくとも一部の負荷の駆動を停止させる停止手段を、さらに備える。
【００１５】
省電力モードにおいては少なくとも一部の負荷の駆動が停止するので、消費電力を少なくすることができる。
【００１６】
この発明の他の局面によれば、省電力モード切換方法は、電池から電力の供給を受けて駆動し、複数の機能を実行可能な電子機器で実行される省電力モード切換方法であって、電池の残量を検出するステップと、測定された残量が所定のしきい値以下の場合に、複数の機能のうち実行中の機能または実行中の機能がないときは最後に実行された機能に関連して予め定められた機能以外の機能の少なくとも一部を実行不可とする省電力モードに設定するステップと、を含む。
【００１７】
この局面に従えば、利便性を向上させるとともに長時間使用することが可能な省電力モード切換方法を提供することができる。
【００１８】
この発明のさらに他の局面に従えば、省電力モード切換プログラムは、電池から電力の供給を受けて駆動し、複数の機能を実行可能な電子機器を制御するコンピュータで実行されるモード切換プログラムであって、電池の残量を検出するステップと、測定された残量が所定のしきい値以下の場合に、複数の機能のうち実行中の機能または実行中の機能がないときは最後に実行された機能に関連して予め定められた機能以外の機能の少なくとも一部を実行不可とする省電力モードに設定するステップと、を電子機器を制御するコンピュータに実行させる。
【００１９】
この局面に従えば、利便性を向上させるとともに長時間使用することが可能な省電力モード切換プログラムを提供することができる。
【発明を実施するための最良の形態】
【００２０】
以下、本発明の実施の形態について図面を参照して説明する。以下の説明では同一の部品には同一の符号を付してある。それらの名称および機能も同じである。したがってそれらについての詳細な説明は繰返さない。
【００２１】
図１は、本発明の実施の形態の一つにおける携帯電話機の外観を示す斜視図である。図１（Ａ）は、オープンスタイルの携帯電話機の外観を示し、図１（Ｂ）はクローズスタイルの携帯電話機の外観を示す。図１（Ａ）および図１（Ｂ）を参照して、電子機器としての携帯電話機１は、操作側部３と、表示側部２とを含む。操作側部３は、電源キー、テンキーおよび通話キー等を含む操作キー１７と、マイクロホン１３とが内側面に配置され、フラッシュメモリが挿入される挿入口１４が側面に配置される。
【００２２】
表示側部２は、液晶表示装置（ＬＣＤ）１５と、その上に重畳された透明な部材からなるタッチパネル１８と、レシーバを構成する第１スピーカ１１と、カメラ１９とが内側面に配置され、第２スピーカ１２および太陽電池１６が外側面に配置される。なお、ここでは携帯電話機１がＬＣＤ１５を備える例を示すが、ＬＣＤ１５に代えて、有機ＥＬ（Ｅｌｅｃｔｒｏ  Ｌｕｍｉｎｅｓｃｅｎｃｅ）ディスプレイを用いてもよい。
【００２３】
操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００２４】
図２は、本実施の形態における携帯電話機の機能の一例を示す機能ブロック図である。図２を参照して、携帯電話機１は、携帯電話機１の全体を制御するための制御部２１と、アンテナ２２Ａと接続された無線回路２２と、アンテナ２３Ａに接続されたチューナ２３と、アンテナ２４Ａと接続されたＧＰＳ受信部２４と、ユーザの操作の入力を受け付ける操作部２５と、振動部２６と、カードインターフェース（Ｉ／Ｆ）２７と、カメラ１９と、音声データを処理するためのコーデック部２８と、それぞれがコーデック部２８に接続されたマイクロホン１３および第１スピーカ１１と、ＡＶデコーダ２９と、第２スピーカ１２と、ＬＣＤ１５の表示を制御するための表示制御部３０と、制御部２１で実行するプログラム等を記憶するためのＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）３１と、制御部２１の作業領域として使用されるＲＡＭ（Ｒａｎｄｏｍ  Ａｃｃｅｓｓ  Ｍｅｍｏｒｙ）３２と、電源制御部３５とを含む。
【００２５】
無線回路２２は、制御部２１により制御され、無線基地局と通信する。具体的には、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。コーデック部２８は、無線回路２２から入力される音声信号を復号し、復号したデジタルの音声信号をアナログに変換し、増幅し、そして第１スピーカ１１に出力する。また、コーデック部２８は、マイクロホン１３からアナログの音声信号が入力され、音声信号をデジタルに変換し、符号化し、そして符号化した音声信号を無線回路２２に出力する。
【００２６】
チューナ２３は、アンテナ２３Ａに接続されており、アンテナ２３Ａにより受信された複数の放送信号が入力される。チューナ２３は、アンテナ２３Ａから入力される複数の放送信号からＣＰＵ２１の指示に応じて特定の周波数の放送信号を取り出す。放送信号は、デジタル放送信号を含み、映像データおよび音声データを含む高周波デジタル変調信号である。また、チューナ２３は、逆インターリーブ回路、誤り訂正回路を備えており、取り出した特定の周波数の放送信号（高周波デジタル変調信号）を復調し、復調して得られる符号データをＡＶデコーダ２９に出力する。なお、ここでは、地上デジタル放送の放送信号を受信して再生する例を示すが、アナログテレビジョン放送の放送信号を受信して再生するようにしてもよい。また、テレビジョン放送に代えて、または、テレビジョン放送に加えて、ラジオ放送の放送電波を受信して再生するようにしてもよい。
【００２７】
ＡＶデコーダ２９は、ビデオデコーダおよびオーディオデコーダを備えており、チューナ２３から入力された符号データを復号して映像信号および音声信号を生成し、映像信号をＤ／Ａ（デジタル／アナログ）変換して表示制御部３０に出力し、音声信号をＤ／Ａ変換して第２スピーカ１２に与える。
【００２８】
表示制御部３０は、制御部２１により制御され、制御部２１から入力される指示に従ってＬＣＤ１６を制御して、ＬＣＤ１６に画像を表示させる。ＬＣＤ１６に表示させる画像は、動画像と静止画像とを含む。
【００２９】
ＧＰＳ受信部２４は、アンテナ２４ＡがＧＰＳ（Ｇｌｏｂａｌ  Ｐｏｓｉｔｉｏｎｉｎｇ  Ｓｙｓｔｅｍ）衛星の送信するＧＰＳ信号を受信すると、その受信されたＧＰＳ信号に基づいて位置を決定し、決定された位置を示す位置情報を制御部２１に出力する。ＧＰＳ受信部２４は、アンテナ２４Ａによって受信されるＧＰＳ信号から直接位置を算出するようにしてもよいし、携帯電話機１の通信事業者が備えるサーバに、受信されたＧＰＳ信号を送信し、そのサーバから位置情報を受信するようにしてもよい。
【００３０】
操作部２５は、操作キー１７と、タッチパネル１８とを含む。操作キー１７およびタッチパネル１８は、ユーザによる操作の入力を受け付け、受け付けた操作を制御部２１に出力する。
【００３１】
振動部２６は、制御部２１により制御され、重心とは異なる位置がモータの軸に固定された振動板を回転させることにより、振動を発生する。制御部２１は、例えば、無線回路２２において着信信号が受信されたときに、振動部２６を駆動させることにより、振動による着信報知動作を実行する。
【００３２】
カードＩ／Ｆ２７には、着脱可能なメモリカード２７Ａが装着される。メモリカード２７Ａは、例えば、ＣｏｍｐａｃｔＦｌａｓｈ、ＳｍａｒｔＭｅｄｉａ（登録商標）、ＳＤ（Ｓｅｃｕｒｅ  Ｄｉｇｉｔａｌ）メモリカード、メモリースティック、ＭＭＣ（ＭｕｌｔｉＭｅｄｉａ  Ｃａｒｄ）、ｘＤピクチャーカードなどである。制御部２１は、カードＩ／Ｆ２７を介して、メモリカード２７Ａにアクセスが可能である。
【００３３】
なお、ここでは制御部２１で実行するための省電力モード切換プログラムをＥＥＰＲＯＭ３１に記憶しておく例を説明するが、省電力モード切換プログラムをメモリカード２７Ａに記憶しておき、メモリカード２７Ａから省電力モード切換プログラムを読み出して、制御部２１で実行するようにしてもよい。省電力モード切換プログラムを記憶する記録媒体としては、メモリカード２７Ａに限らず、フレキシブルディスク、カセットテープ、光ディスク（ＣＤ−ＲＯＭ（Ｃｏｍｐａｃｔ  Ｄｉｓｃ
−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ、ＥＥＰＲＯＭなどの半導体メモリ等でもよい。また、携帯電話機１をインターネットに無線回路２２を介して接続し、インターネットに接続されたコンピュータから省電力モード切換プログラムをダウンロードして、制御部２１で実行するようにしてもよい。ここでいうプログラムは、制御部２１により直接実行可能なプログラムだけでなく、ソースプログラム、圧縮処理されたプログラム、暗号化されたプログラム等を含む。
【００３４】
カメラ１９は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ１９は、制御部２１により制御され、制御部２１からの指示により撮像を開始して、得られる静止画データまたは動画データを制御部２１に出力する。カメラ１９は、光電変換した画像データの画質を向上させるための画像処理を実行する画像処理回路、画像データをアナログからデジタルに変換するＡ／Ｄ変換回路を備えている。制御部２１は、カメラ１９が出力する静止画データまたは動画データを表示制御部３０に出力し、ＬＣＤ１６に表示させる、または、圧縮符号化方式で静止画データまたは動画データを符号化して、ＥＥＰＲＯＭ３１またはカードＩ／Ｆ２７に装着されたメモリカード２７Ａに記憶する。さらに、携帯電話機１がテレビ電話として機能する場合、カメラ１９が出力する静止画データまたは動画データを無線回路２２に出力する。
【００３５】
電源制御部３５は、携帯電話機１の各負荷に電力を供給するための二次電池４１と、外部電源４５が接続される外部電源端子４３と、二次電池４１と外部電源端子４３との間に設けられた充電回路４２と、を含む。外部電源４５は、商用電源に接続されたＡ／Ｃアダプタである。二次電池４１は、ニッカド電池、ニッケル水素電池、リチウムポリマ電池またはリチウムイオン電池等である。
【００３６】
充電回路４２は、外部電源端子４３に外部電源４５が接続されている場合、外部電源端子４３から供給される電力を、携帯電話機１の各負荷に供給するとともに、二次電池４１に供給し、二次電池４１を充電する。また、充電回路４２は、太陽電池１６と接続されており、太陽電池１６から供給される電力を、携帯電話機１の各負荷に供給するとともに、二次電池４１に供給し、二次電池４１を充電する。
【００３７】
充電回路４２は、制御部２１により制御され、外部電源端子４３が外部電源４５から受電した電力または／および太陽電池１６から受電した電力を、携帯電話機１の各負荷および二次電池４１に出力するオン状態と、携帯電話機１の各負荷および二次電池４１に出力しないオフ状態とを切換える。
【００３８】
太陽電池１６の出力端子は制御部２１の所定の端子に接続されており、二次電池４１の出力端子は、制御部２１の所定の端子に接続されている。制御部２１は、太陽電池１６の出力端子の電圧を検出することにより、太陽電池１６の出力電圧を検出する。また、制御部２１は、充電回路４２を制御して充電回路４２をオフ状態に切換えているときに、二次電池４１の出力端子の電圧を検出することにより、二次電池４１の出力電圧を検出する。
【００３９】
図３は、制御部が有する機能の一例を示す機能ブロック図である。図３を参照して、制御部２１は、二次電池４１の残量を検出する残量検出部５１と、携帯電話機１のモードを設定する設定部５３と、ユーザによる操作を受け付ける操作受付部５５と、機能を実行する機能実行部５７と、を含む。
【００４０】
残量検出部５１は、遮断部６１と、電圧計測部６３とを含む。遮断部６１は、電源制御部３５が備える充電回路４２に対して電力供給を遮断することを指示する制御信号を出力する。充電回路４２は、遮断部６１から制御信号が入力されると、外部電源端子４３または太陽電池１６から入力される電力が携帯電話機１の備える各負荷および二次電池４１に供給されないように回路を開く。これにより、二次電池４１の出力端子には、二次電池４１が出力する電力に基づく電圧のみが印加される。
【００４１】
電圧計測部６３は、遮断部６１が充電回路４２に制御信号を出力している間に、二次電池４１の出力端子の電圧を検出する。残量検出部５１は、電圧計測部６３により計測された電圧に基づき、二次電池４１の蓄電容量の残量を算出する。残量検出部５１は、二次電池４１の蓄電容量の残量が所定のしきい値以下の場合、設定部５３に省電力モードへの切換指示を出力し、二次電池の蓄電容量の残量が所定のしきい値よりも大きい場合、設定部５３に通常モードへの切換指示を出力する。
【００４２】
操作受付部５５は、ユーザが操作部２５に入力する操作を受け付ける。操作受付部５５は、受け付けられた操作を機能実行部５７に出力する。機能実行部５７は、操作受付部５５から入力される操作に従って、予め定められた複数の機能のうち操作に対応する１以上の機能を実行する。機能実行部５７は、実行した機能を識別するための機能識別情報をＥＥＰＲＯＭ３１に実行機能識別情報として記憶する。これにより、ＥＥＰＲＯＭ３１に実行機能識別情報８３が記憶される。
【００４３】
機能実行部５７は、機能を実行するごとに実行機能識別情報８３を書き換える。このため、実行機能識別情報８３は、機能実行部５７が機能を実行しているときはその実行されている機能を識別するための機能識別情報を示し、機能実行部５７が機能を実行していないときは、機能実行部５７により最後に実行された機能を識別するための機能識別情報を示す。
【００４４】
機能実行部５７は、通話制御部７１と、電子メール制御部７２と、テレビジョン制御部７３と、ブラウジング制御部７４と、ナビゲーション制御部７５と、を含む。
【００４５】
通話制御部７１は、通話機能を実行する。通話機能は、相手の電話機に発信する発信機能、相手の電話機からの発信を受ける着信機能、相手の電話機と音声を送受信する通話機能を含む。着信機能は、無線回路２２が無線基地局から着呼信号を受信する機能であり、着呼信号を受信するまで待機する処理と、着呼信号を受信することに応じて第１スピーカ１１または第２スピーカ１２から着信音を出力させ、振動部２６を駆動する処理とを含む。したがって、通話制御部７１は、着信機能を実行する場合、少なくとも無線回路２２を駆動する。着信機能が実行されている間に、ユーザが操作キー１７の備えるオフフックキーを押下すれば、通話機能を実行する。通話機能は、無線回路２２、コーデック部２８を駆動し、マイクロホン１３が集音する音声を、符号化し、符号化された無線信号を無線基地局に送信させるとともに、無線回路２２が無線基地局から受信する無線信号を復号し、音声を第１スピーカ１１から出力する機能である。発信機能は、ユーザが操作キー１７を操作して、送信先の相手の電話番号を入力すれば、入力された電話番号に発信する機能である。通話制御部７１は、発信機能を実行する場合、無線回路２２を駆動する。
【００４６】
電子メール制御部７２は、電子メール機能を実行する。電子メール機能は、電子メールサーバに電子メールを送信する電子メール送信機能、電子メールサーバから電子メールを受信する電子メール受信機能、電子メールを表示する電子メール閲覧機能、電子メールを生成する電子メール作成機能と、を含む。電子メール送信機能は、無線回路２２を駆動し、電子メールを電子メールサーバに送信する機能である。電子メール受信機能は、無線回路２２を駆動し、電子メールサーバから電子メールを受信する機能である。電子メール閲覧機能は、操作部２５、表示制御部３０を制御し、ＥＥＰＲＯＭ３１に記憶された電子メールをＬＣＤ１５に表示する機能である。電子メール作成機能は、操作部２５、表示制御部３０を制御し、ユーザが、操作部２５に入力する文字等を受け付け、電子メールを作成する機能である。
【００４７】
テレビジョン制御部７３は、テレビジョン機能を実行する。テレビジョン機能は、チューナ２３、表示制御部３０、ＡＶデコーダ２９、操作部２５を駆動し、ユーザが操作部２５に入力する指示に従って、チューナ２３に周波数チャンネルを選択させ、チューナ２３により受信されたテレビジョン信号をＡＶデコーダ２９に復号させ、映像をＬＣＤ１５に表示するとともに音声を第２スピーカ１２から出力する処理を含む。
【００４８】
ブラウジング制御部７４は、ブラウジング機能を実行する。ブラウジング機能は、無線回路２２、操作部２５、表示制御部３０を駆動し、ウェブページをＬＣＤ１５に表示する処理を含む。具体的には、ブラウジング機能は、ユーザが操作部２５に入力する操作により特定されるＵＲＬのウェブページを、無線回路２２に取得させ、無線回路２２が受信するウェブページをＬＣＤ１５に表示する処理を含む。
【００４９】
ナビゲーション制御部７５は、ナビゲーション機能を実行する。ナビゲーション機能は、ＧＰＳ受信部２４、無線回路２２および表示制御部３０を駆動し、地図上の現在位置から目的地までの経路を表示する現在位置表示する処理、現在位置から目的地までの経路を探索する経路探索処理を含む。現在位置表示処理は、ＧＰＳ受信部２４がＧＰＳ衛星から受信するＧＰＳ信号に基づいて決定する現在位置を取得し、ＥＥＰＲＯＭ３１に記憶されている地図に特定された現在位置を記した画像をＬＣＤ１５に表示する処理を含む。また、経路探索処理は、ユーザが操作部２５に目的地を指定する操作を入力すれば、現在位置から目的地までの経路を探索し、探索の結果が得られた経路を地図に記した画像をＬＣＤ１５に表示する処理である。
【００５０】
設定部５３は、残量検出部５１から入力される切換指示に従って、機能実行部５７を制御する。設定部５３は、残量検出部５１から通常モードへの切換指示が入力される場合、機能実行部５７に対して機能実行部５７が実行可能なすべての機能の実行を許可する。一方、設定部５３は、残量検出部５１から省電力モードへの切換指示が入力される場合、ＥＥＰＲＯＭ３１に記憶された関連付情報８１および実行機能識別情報８３に基づいて、実行することが可能な機能を決定し、機能実行部５７に対して、決定された機能以外の機能の実行を許可しない。
【００５１】
関連付情報８１は、機能実行部５７が実行可能な複数の機能それぞれに対して省電力モードにおいて実行可能な機能を予め関連付ける関連付レコードを含む。図４は、関連付情報の一例を示す図である。図４を参照して、関連付情報８１は、機能実行部５７が実行可能な複数の機能それぞれに対して関連付レコードを含み、関連付レコードは、実行機能の項目と、関連機能の項目とを含む。関連機能の項目は、関連機能１、関連機能２および関連機能３の項目を含む。
【００５２】
実行機能の項目は、機能実行部５７が実行可能な機能を識別するための機能識別情報が設定される。ここでは、通話機能、電子メール機能、テレビジョン機能、ブラウジング機能、ナビゲーション機能の機能識別情報を、それぞれ「通話」、「電子メール」、「テレビジョン」「「ブラウジング」、「ナビゲーション」としている。また、電話機能に含まれる発信機能、着信機能および通話機能の機能識別情報を、それぞれ「発信」、「着信」および、「通話」としている。さらに、電子メール機能に含まれる電子メール閲覧機能、電子メール作成機能、電子メール送信機能および電子メール受信機能を、それぞれ「電子メール閲覧」、「電子メール作成」、「電子メール送信」および「電子メール受信」としている。
【００５３】
関連機能の項目は、実行機能の項目に設定されている機能識別情報で、特定される機能に対して、省電力モードにおいて実行可能な少なくとも１つの機能を識別するための機能識別情報が設定される。したがって、関連付情報８１は、機能実行部５７が実行可能な複数の機能それぞれに対して、省電力モードにおいて実行可能な機能を関連付ける。具体的には、発信機能、着信機能および通話機能それぞれに対して、発信機能を関連付け、電子メール閲覧機能、電子メール作成機能、電子メール送信機能、電子メール受信機能それぞれに対して、電子メール閲覧機能、電子メール作成機能および電子メール送信機能を関連付ける。テレビジョン機能に対してはテレビジョン機能を関連付け、ブラウジング機能に対してはブラウジング機能を関連付け、ナビゲーション機能に対してはナビゲーション機能を関連付ける。なお、図４に示した関連付情報８１は一例であり、機能実行部５７が実行可能な機能に対して、図４に示した関連付情報８１で示したのとは異なる機能を関連付けるようにしてもよい。
【００５４】
図３に戻って、設定部５３は、残量検出部５１から省電力モードへの切換指示が入力される場合、ＥＥＰＲＯＭ３１から実行機能識別情報８３を読み出す。そして、ＥＥＰＲＯＭ３１に記憶されている関連付情報８１を検索し、実行機能識別情報８３と関連付けられている関連機能を特定する。具体的には、関連付情報８１に含まれる複数の関連付レコードのうちから実行機能識別情報８３と同じ機能識別情報が実行機能の項目に設定されている関連付レコードを抽出し、その関連付レコードの関連機能の項目に設定されている機能識別情報で特定される機能を関連機能とする。設定部５３は、関連機能の項目に設定されている機能識別情報で特定される関連機能の実行を、機能実行部５７に対して許可するが、関連機能以外の機能の実行を禁止する。本発明の履歴記憶手段としてのＥＥＰＲＯＭ３１に記憶されている実行機能識別情報８３は、機能実行部５７がその時実行している機能または機能実行部５７がその時機能を実行していない場合には、最後に実行した機能の機能識別情報である。このため、機能実行部５７が実行している機能または機能を実行していない場合には最後に実行した機能に対して、予め関連付けられた関連機能の実行が許可され、関連機能以外の機能も実行が許可されない。
【００５５】
関連付情報８１は、省電力モードにおいて現在または直前に実行した機能に関連する機能を関連付けるので、省電力モードにおいて実行可能な機能をユーザにより必要とされる可能性の高い機能に制限することができる。
【００５６】
例えば、実行機能識別情報８３が電子メール閲覧機能を識別するための機能識別情報である場合、電子メール閲覧機能、電子メール作成機能および電子メール送信機能の実行のみが許可され、他の機能、ここでは電子メール受信機能、通話機能、テレビジョン機能、ブラウジング機能およびナビゲーション機能の実行が許可されない。このため、無線回路２２、操作部２５、表示制御部３０およびＬＣＤ１５を駆動すればよく、カメラ１９．振動部２６、カードＩ／Ｆ２７、チューナ２３、ＧＰＳ受信部２４、コーデック部２８、ＡＶデコーダ２９を駆動する必要がない。このため、電力の消費を減少させて二次電池４１に蓄電されている電力の消費を減少させることができる。一方、ユーザは、電子メールの閲覧、作成、送信をすることができる。
【００５７】
また、太陽電池１６または外部電源４５から電力の供給を受けている場合には、太陽電池１６または外部電源４５から供給される電力の一部が二次電池４１に供給される。このため、二次電池４１の蓄電容量を早期に増加させることができる。二次電池４１の蓄電容量が増加し、二次電池４１の出力電圧がしきい値を超える場合には、残量検出部５１から、通常モードへの切換信号が設定部５３に入力されるので、機能実行部５７は、設定部５３により実行される機能が制限されることなく、すべての機能が実行可能となる。
【００５８】
図５は、モード切換処理の流れの一例を示すフローチャートである。モード切換処理は、制御部２１が省電力モード切換プログラムを実行することにより、制御部２１により実行される処理である。このモード切換処理は、所定時間間隔で制御部２１により実行される。
【００５９】
図５を参照して、制御部２１は、充電回路４２に切断を指示するための制御信号を出力する（ステップＳ０１）。これにより、充電回路４２は、太陽電池１６から供給される電力を遮断するとともに、外部電源端子４３に外部電源４５が接続されている場合には、外部電源４５から供給される電力を遮断する。
【００６０】
次のステップＳ０２においては、二次電池の出力電圧Ｖ１を検出する。二次電池の出力電圧Ｖ１を検出したならば、充電回路４２に切断を指示するための制御信号を出力するのを停止し、充電回路４２に外部電源４５または太陽電池１６から供給される電力が携帯電話機１が備える各負荷に供給されるように、回路を接続させる。
【００６１】
ステップＳ０４においては、ステップＳ０２において検出された二次電池４１の出力電圧Ｖ１を予め定められたしきい値Ｔ１と比較する。二次電池４１の出力電圧Ｖ１がしきい値Ｔ１以下ならば（ステップＳ０４でＹＥＳ）、処理をステップＳ０５に進めるが、そうでなければ（ステップＳ０４でＮＯ）、処理をステップＳ０８に進める。二次電池４１の蓄電容量が少なくなった場合に、省電力モードに設定するためである。ステップＳ０８においては、通常モードに設定し、処理を終了する。ステップＳ０５においては、太陽電池１６の出力電圧Ｖ２を検出する。そして、太陽電池の出力電圧Ｖ２を予め定められたしきい値Ｔ２と比較する（ステップＳ０６）。太陽電池１６の出力電圧Ｖ２が閾値Ｔ２以下ならば（ステップＳ０６でＹＥＳ）、処理をステップＳ０７に進めるが、そうでなければ（ステップＳ０６でＮＯ）、処理をステップＳ０８に進める。二次電池４１の蓄電容量が少ない場合であっても、太陽電池１６の起電力が十分であれば、太陽電池１６から供給される電力で携帯電話機１の各負荷を起動するとともに、二次電池４１を蓄電することができるからである。ステップＳ０７においては、省電力モードに設定し、処理を終了する。
【００６２】
図６は、機能実行処理の流れの一例を示すフローチャートである。機能実行処理は、制御部２１が、省電力モード切換プログラムを実行することにより、制御部２１により実行される処理である。また、上述したモード切換処理が実行される場合には、モード切換処理と並列して実行される。
【００６３】
図６を参照して、制御部２１は、操作部２５により、ユーザによる操作が受け付けられたか否かを判断する（ステップＳ１１）。操作が受け付けられるまで待機状態となり（ステップＳ１１でＮＯ）、操作が受け付けられると（ステップＳ１１でＹＥＳ）、処理をステップＳ１２に進める。
【００６４】
ステップＳ１２においては、省電力モードに設定されているか否かを判断する。省電力モードに設定されているならば処理をステップＳ２３に進めるが、そうでなければ処理をステップＳ１３に進める。
【００６５】
処理がステップＳ１３に進む場合は、通常モードである。通常モードの場合、ステップＳ１１において受け付けられた操作により指示された機能を実行する（ステップＳ１３）。そして、実行した機能を識別するための機能識別情報を実行機能識別情報８３としてＥＥＰＲＯＭ３１に記憶する（ステップＳ１４）。次のステップＳ１５においては、省電力モードに設定されたか否かを判断する。ステップＳ１３において機能実行している最中に省電力モードに設定される場合があるからである。省電力モードに設定されたならば処理をステップＳ１６に進めるが、そうでなければ処理をステップＳ２２に進める。
【００６６】
ステップＳ１６においては、ＥＥＰＲＯＭ３１から関連付情報８１を読み出す。そして、関連機能以外の機能を実行不可に設定し（ステップＳ１７）、処理をステップＳ１８に進める。具体的には、ステップＳ１３において実行を開始した機能を識別するための機能識別情報に、ステップＳ１６において読み出された関連付情報８１により関連付けられている機能識別情報で特定される機能を関連機能に決定する。そして、関連機能以外の機能を実行不可に設定する。
【００６７】
ステップＳ１８においては、ステップＳ１３において、実行された機能を終了させるための指示が入力されたか否かを判断する。機能を終了する指示が入力されたならば処理をステップＳ１９に進めるが、そうでなければ処理をステップＳ１５に戻す。一方、処理がステップＳ２２に進む場合、通常モードなので、すべての機能を実行可に設定し、処理をステップＳ１８に進める。すなわち、ステップＳ１３において実行された機能が実行されている間に、省電力モードに設定され、さらにその後に通常モードに設定される場合がある。この場合であっても、通常モードに設定された後は、すべての機能が実行可能に設定される。
【００６８】
ステップＳ１９においては、ステップＳ１３において開始された機能の実行を終了し、処理をステップＳ２０に進める。ステップＳ２０においては、省電力モードに設定されているか否かを判断する。省電力モードに設定されているならば処理をステップＳ２１に進めるが、そうでなければ処理をステップＳ１１に戻す。ステップＳ２１においては、制御部２１と操作部２５以外の負荷の電源をＯＦＦに設定し、処理をステップＳ１１に戻す。制御部２１と操作部２５のみが電力を消費するので、消費される電力を最小限に抑えることができ、二次電池４１の蓄電容量の減少をできるだけ小さくすることができる。
【００６９】
一方、処理がステップＳ２３に進む場合は、省電力モードの場合である。ステップＳ２３においては、ＥＥＰＲＯＭ３１から関連付情報８１を読み出す。そして、ＥＥＰＲＯＭ３１から実行機能識別情報８３を読み出す（ステップＳ２４）。次のステップＳ２５においては、ステップＳ１１において受け付けられた操作により実行が指示された機能が関連機能か否かを判断する。具体的には、ステップＳ２４において読み出された実行機能識別情報８３に、ステップＳ２３において読み出された関連付情報８１により関連付けられている機能を関連機能に決定する。そして、ステップＳ１１において受け付けられた操作により実行が指示された機能を識別するための機能識別情報が、関連機能の機能識別情報と同じならば、受け付けられた操作により実行が指示された機能が関連機能と判断する。受け付けられた操作により実行が指示された機能が関連機能ならば処理をステップＳ２６に進めるが、そうでなければ処理をステップＳ３０に進める。
【００７０】
ステップＳ３０においては、エラー処理を実行し、処理をステップＳ１１に戻す。エラー処理は、例えば、ＬＣＤ１５に「電池の残量不足により機能は実行することができません。」などのメッセージを表示する処理である。これにより、ユーザに電池の残量不足により機能を実行することができないことを通知することができる。さらに、ユーザに、携帯電話機１を充電台などに置くなどして充電させることを促すことができる。
【００７１】
ステップＳ２６においては、ステップＳ１１において受け付けられた操作により指示された機能を実行する。指示された機能が関連機能の場合に機能が実行され、指示された機能が関連機能でない場合には、指示された機能が実行されないので、実行可能な機能を制限することにより消費される電力を少なくすることができる。
【００７２】
ステップＳ２７においては、ステップＳ２６において実行された機能を終了させるための指示が入力されたか否かを判断する。機能を終了させる指示が入力されるまで待機状態となり（ステップＳ２７でＮＯ）、機能を終了させる指示が入力されたならば（ステップＳ２７でＹＥＳ）、処理をステップＳ２８に進める。
【００７３】
ステップＳ２８においては、ステップＳ２６において開始された機能の実行を終了し、処理をステップＳ２９に進める。ステップＳ２９においては、制御部２１と操作部２５以外の負荷の電源をＯＦＦに設定し、処理をステップＳ１１に戻す。制御部２１と操作部２５のみが電力を消費するので、消費される電力を最小限に抑えることができ、二次電池４１の蓄電容量の減少をできるだけ小さくすることができる。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７５】
例えば、上記実施形態では、二次電池４１の出力電圧Ｖ１や太陽電池１６の出力電圧Ｖ２が所定のしきい値以下の場合に省電力モードに設定するとしているが（図５のＳ０４、Ｓ０６）、本発明はこのような場合に限定されるものではない。例えば、太陽電池１６からの出力電圧が所定時間以上継続して所定のしきい値以上である場合に、省電力モードに移行するという条件を用いても良い。一例として、具体例を挙げれば、図５のステップＳ０４でＹＥＳと判断される場合に、太陽電池１６からの出力電圧が所定時間以上継続して所定のしきい値以上であるか否かを判断するステップを設け、この判断がＹＥＳ（肯定的）である場合に、ステップＳ０７と同様の省電力モードに移行するステップを設けてもよい。この場合であれば、ユーザが太陽発電を意識的に行っている場合（例えば、窓際などに置いている場合など）であると推測されるため、ユーザの二次電池４１の電力を維持する意向が推測され．よりユーザの意向に沿って省電モードに移行することとなり、ユーザの利便性を向上させることができる。もちろん、上記条件を太陽電池１６からの出力電圧が所定時間以上継続している場合のみという条件にしてもよい。
【００７６】
＜付記＞
（１）  前記残量検出手段は、前記光発電手段から出力される電力を遮断する遮断手段を、さらに備え、
前記計測手段は、前記遮断手段が遮断している間に前記電池の出力電圧を計測する、請求項４に記載の電子機器。
【図面の簡単な説明】
【００７７】
【図１】本発明の実施の形態の一つにおける携帯電話機の外観を示す斜視図である。
【図２】本実施の形態における携帯電話機の機能の一例を示す機能ブロック図である。
【図３】制御部が有する機能の一例を示す機能ブロック図である。
【図４】関連付情報の一例を示す図である。
【図５】モード切換処理の流れの一例を示すフローチャートである。
【図６】機能実行処理の流れの一例を示すフローチャートである。
【符号の説明】
【００７８】
１  携帯電話機、２  表示側部、３  操作側部、１１  第１スピーカ、１２  第２スピーカ、１３  マイクロホン、１４  挿入口、１５  ＬＣＤ、１６  太陽電池、１７  操作キー、１８  タッチパネル、１９  カメラ、２１  制御部、２２  無線回路、２３  チューナ、２４  受信部、２５  操作部、２５  操作受付部、２６  振動部、２７  カードＩ／Ｆ、２７Ａ  メモリカード、２８  コーデック部、２９  デコーダ、３０  表示制御部、３１  ＥＥＰＲＯＭ、３２  ＲＡＭ、３５  電源制御部、４１  二次電池、４２  充電回路、４３  外部電源端子、４５  外部電源、５１  残量検出部、５３  設定部、５５  操作受付部、５７  機能実行部、６１  遮断部、６３  電圧計測部、７１  通話制御部、７２  電子メール制御部、７３  テレビジョン制御部、７４  ブラウジング制御部、７５  ナビゲーション制御部、８１  関連付情報、８３  実行機能識別情報。
【図１】
2010154363.tif 000003
【図２】
2010154363.tif 000004
【図３】
2010154363.tif 000005
【図４】
2010154363.tif 000006
【図５】
2010154363.tif 000007
【図６】
2010154363.tif 000008